(57)【要約】【課題】秘匿性の高いコンテンツの表示を瞬時に停止させることができるサーバ装置を提供する。【解決手段】コンテンツを画面に表示するクライアント装置に対してコンテンツを配信するスマートフォン２００であって、スマートフォン２００の向きを検出するジャイロセンサ２０３と、ジャイロセンサ２０３によりスマートフォン２００が予め定められた向きを向いていることが検出された場合に、予め定められたコンテンツであって、秘匿性を確保すべきコンテンツである秘匿コンテンツの配信を停止する制御部２０１とを備える。【選択図】図２
2015001971.tif 000002
【特許請求の範囲】
【請求項１】
コンテンツを画面に表示するクライアント装置に対して、前記コンテンツを配信するサーバ装置であって、
前記サーバ装置の向きを検出する向き検出部と、
前記向き検出部により前記サーバ装置が予め定められた向きを向いていることが検出された場合に、予め定められたコンテンツであって、秘匿性を確保すべきコンテンツである秘匿コンテンツの配信を停止する制御部とを備える
サーバ装置。
【請求項２】
前記制御部は、さらに、前記向き検出部により前記サーバ装置が予め定められた向きを向いていることが検出された場合に、前記秘匿コンテンツを除くコンテンツの格納場所を示すリストを、前記クライアント装置に対して送信し、
前記クライアント装置は、前記制御部から受信した前記リストに示される前記格納場所から前記コンテンツを取得し、取得した前記コンテンツを前記画面に表示する
請求項１に記載のサーバ装置。
【請求項３】
前記制御部は、前記向き検出部により前記サーバ装置の表示画面が下向きであることが検出された場合に、前記秘匿コンテンツの配信を停止する
請求項１又は２に記載のサーバ装置。
【請求項４】
前記制御部は、さらに、前記向き検出部により、前記サーバ装置が前記予め定められた向きを向いた後に、前記予め定められた向き以外の向きを向いていることが検出された場合には、前記コンテンツの配信の停止を維持する
請求項１〜３のいずれか１項に記載のサーバ装置。
【請求項５】
前記サーバ装置は、ＤＬＮＡ（Ｄｉｇｉｔａｌ  Ｌｉｖｉｎｇ  Ｎｅｔｗｏｒｋ  Ａｌｌｉａｎｃｅ）準拠プロトコルの２Ｂｏｘモデルにおけるデジタルメディアサーバであり、前記クライアント装置に対して前記コンテンツを配信し、
前記クライアント装置は、ＤＬＮＡ準拠プロトコルの２Ｂｏｘモデルにおけるデジタルメディアプレイヤである
請求項１〜４のいずれか１項に記載のサーバ装置。
【請求項６】
前記サーバ装置は、Ｍｉｒａｃａｓｔに基づいて、前記サーバ装置で表示中のコンテンツを前記クライアント装置に配信し、
前記制御部は、前記向き検出部により前記サーバ装置が前記予め定められた向きを向いていることが検出された場合に、前記秘匿コンテンツの表示を中止することにより、前記秘匿コンテンツの配信を停止する
請求項１〜４のいずれか１項に記載のサーバ装置。
【請求項７】
コンテンツを画面に表示するクライアント装置に対する、サーバ装置からの前記コンテンツの配信を制御するコンテンツ配信制御装置であって、
前記コンテンツ配信制御装置の向きを検出する向き検出部と、
前記向き検出部により、前記コンテンツ配信制御装置が予め定められた向きを向いていることが検出された場合に、予め定められたコンテンツであって、秘匿性を確保すべきコンテンツである秘匿コンテンツの、前記サーバ装置から前記クライアント装置への配信を停止させる制御部とを備える
コンテンツ配信制御装置。
【請求項８】
コンテンツを配信するサーバ装置と、
前記サーバ装置から配信される前記コンテンツを受信し、受信した前記コンテンツを画面に表示するクライアント装置とを備え、
前記サーバ装置は、
前記サーバ装置の向きを検出する向き検出部と、
前記向き検出部により前記サーバ装置が予め定められた向きを向いていることが検出された場合に、予め定められたコンテンツであって、秘匿性を確保すべきコンテンツである秘匿コンテンツの配信を停止する制御部とを有する
コンテンツ配信システム。
【請求項９】
前記クライアント装置は、前記サーバ装置から前記秘匿コンテンツの配信が停止された場合に、前記画面に、前記秘匿コンテンツを含まない所定の画像を表示する
請求項８に記載のコンテンツ配信システム。
【請求項１０】
前記所定の画像は、予め定められたメニュー画像である
請求項９に記載のコンテンツ配信システム。
【請求項１１】
前記所定の画像は、前記秘匿コンテンツを除いたコンテンツのリストの画像である
請求項９に記載のコンテンツ配信システム。
【発明の詳細な説明】
【技術分野】
【０００１】
本発明は、サーバ装置、コンテンツ配信制御装置及びコンテンツ配信システムに関し、特に、秘匿性を確保すべきコンテンツの配信の制御に関する。
【背景技術】
【０００２】
ホームネットワークにおけるコンテンツ視聴が広く普及している（例えば、特許文献１参照）。ＤＬＮＡ（Ｄｉｇｉｔａｌ  Ｌｉｖｉｎｇ  Ｎｅｔｗｏｒｋ  Ａｌｌｉａｎｃｅ）に代表されるホームネットワーク通信技術は、基本的にはコンテンツを「公開する」技術であって、コンテンツを「非公開にする」技術ではない。このため、ＤＬＮＡでもコンテンツ毎に公開及び非公開を切り換えるような機能はなく、ＤＭＳ（Ｄｉｇｉｔａｌ  Ｍｅｄｉａ  Ｓｅｒｖｅｒ）内のコンテンツを無差別に公開する仕組みになっている。コンテンツを表示できないようにするＤＲＭ（Ｄｉｇｉｔａｌ  Ｒｉｇｈｔｓ  Ｍａｎａｇｅｍｅｎｔ）技術は存在するが、ＤＲＭ技術では、そもそもコンテンツを配信すらしたくない場合のことは考慮されていない。
【０００３】
例えば、スマートフォンなどで撮影した写真をＤＬＮＡ等のホームネットワーク技術に基づいて、家庭内で自由に閲覧可能な状態にし、個人のみならず、家庭全体で容易に共有することができる。しかし、スマートフォン、タブレット端末又は一般的なデジタルスチルカメラは、写真を保存する能力を備えていても、それを個人のプライバシーを考慮して管理する能力は備えていない。そのため、同じスマートフォンなどで撮影した「公開してもよい写真」と「公開してはいけない写真」とが区別されることなく、ホームネットワーク内で一律に公開されている。
【０００４】
そのホームネットワークを個人で占有している間は、上記「公開してもよい写真」と「公開してはいけない写真」とをいずれも公開しても問題ない。しかし、別の者が使用するコンテンツプレイヤがホームネットワークに接続された場合には、「公開してはいけない写真」が視聴されるおそれがある。このため、「公開してはいけない写真」を煩わしい設定無しに、瞬時に非公開にする必要がある。
【０００５】
それ以外にも、特異な趣味に関する写真（つまり、「公開してはいけない写真」）をある部屋でテレビ画面に映して見ているときに、親密な人物（例えば家族）が急にその部屋に入ってきたとき、それらの写真をとっさに隠したい、という場合もある。
【０００６】
また、ＤＬＮＡ以外にもＭｉｒａｃａｓｔに代表されるようなワイヤレスディスプレイ機能を備えるネットワークシステムにおいても、同じような問題が存在する。ワイヤレスディスプレイ機能は、スマートフォンを例にとると、スマートフォンの表示部に表示される映像を全てテレビに映し出す（ミラーリングする）機能である。スマートフォンは秘匿性の高いプライベート情報を多く保持する機器の代表と言える。Ｍｉｒａｃａｓｔ機能を使ってＶＯＤ（Ｖｉｄｅｏ  Ｏｎ  Ｄｅｍａｎｄ）又は写真のスライドショーを楽しむユースケースが多くある。その際、上述のＤＬＮＡと同じ課題が存在する。つまり、他人がコンテンツの視聴環境に急に来たときに、とっさに秘匿性の高いコンテンツの表示を停止したいというニーズがある。
【先行技術文献】
【特許文献】
【０００７】
【特許文献１】特開２００９−２２３０４８号公報
【発明の概要】
【発明が解決しようとする課題】
【０００８】
しかしながら、従来のホームネットワークにおけるコンテンツ視聴においては、秘匿性の高いコンテンツの表示を瞬時に停止させることが困難である。
【０００９】
本発明は、上述の課題を解決するためになされたものであり、秘匿性の高いコンテンツの表示を瞬時に停止させることができるサーバ装置等を提供することを目的とする。
【課題を解決するための手段】
【００１０】
上記目的を達成するために、本発明の一態様に係るサーバ装置は、コンテンツを画面に表示するクライアント装置に対して、前記コンテンツを配信するサーバ装置であって、前記サーバ装置の向きを検出する向き検出部と、前記向き検出部により前記サーバ装置が予め定められた向きを向いていることが検出された場合に、予め定められたコンテンツであって、秘匿性を確保すべきコンテンツである秘匿コンテンツの配信を停止する制御部とを備える。
【００１１】
この構成によると、サーバ装置を予め定められた向きに向けることにより、サーバ装置からの秘匿コンテンツの配信を停止させることができる。このため、クライアント装置における秘匿性の高いコンテンツの表示を瞬時に停止させることができる。
【００１２】
例えば、前記制御部は、さらに、前記向き検出部により前記サーバ装置が予め定められた向きを向いていることが検出された場合に、前記秘匿コンテンツを除くコンテンツの格納場所を示すリストを、前記クライアント装置に対して送信し、前記クライアント装置は、前記制御部から受信した前記リストに示される前記格納場所から前記コンテンツを取得し、取得した前記コンテンツを前記画面に表示しても良い。
【００１３】
この構成によると、サーバ装置を予め定められた向きに向けることにより、コンテンツのリストから秘匿コンテンツの格納場所の情報を除くことができる。このため、クライアント装置は秘匿コンテンツへのアクセスをすることができなくなり、これにより、クライアント装置における秘匿性の高いコンテンツの表示を瞬時に停止させることができる。
【００１４】
また、前記制御部は、前記向き検出部により前記サーバ装置の表示画面が下向きであることが検出された場合に、前記秘匿コンテンツの配信を停止しても良い。
【００１５】
この構成によると、ユーザは、サーバ装置の表示画面を隠すという動作を行うことにより、秘匿コンテンツの配信を停止させることができる。表示画面を隠すという行為は、人間の直感として見えているものを覆い隠すという行為と直感的に結びついている。このため、サーバ装置のユーザビリティを向上させることができる。
【００１６】
また、前記制御部は、さらに、前記向き検出部により、前記サーバ装置が前記予め定められた向きを向いた後に、前記予め定められた向き以外の向きを向いていることが検出された場合には、前記コンテンツの配信の停止を維持しても良い。
【００１７】
この構成によると、秘匿コンテンツの配信を停止させた後に、秘匿コンテンツが再配信されるのを防ぐことができる。これにより、他人から秘匿コンテンツを隠すことができる。
【００１８】
また、前記サーバ装置は、ＤＬＮＡ（Ｄｉｇｉｔａｌ  Ｌｉｖｉｎｇ  Ｎｅｔｗｏｒｋ  Ａｌｌｉａｎｃｅ）準拠プロトコルの２Ｂｏｘモデルにおけるデジタルメディアサーバであり、前記クライアント装置に対して前記コンテンツを配信し、前記クライアント装置は、ＤＬＮＡ準拠プロトコルの２Ｂｏｘモデルにおけるデジタルメディアプレイヤであっても良い。
【００１９】
この構成によると、サーバ装置が、ＤＬＮＡ準拠プロトコルの２Ｂｏｘのモデルのデジタルメディアサーバとして用いられる場合であっても、秘匿性の高いコンテンツの表示を瞬時に停止させることができる。
【００２０】
また、前記サーバ装置は、Ｍｉｒａｃａｓｔに基づいて、前記サーバ装置で表示中のコンテンツを前記クライアント装置に配信し、前記制御部は、前記向き検出部により前記サーバ装置が前記予め定められた向きを向いていることが検出された場合に、前記秘匿コンテンツの表示を中止することにより、前記秘匿コンテンツの配信を停止しても良い。
【００２１】
この構成によると、サーバ装置が、Ｍｉｒａｃａｓｔのソースデバイスとして用いられる場合であっても、秘匿性の高いコンテンツの表示を瞬時に停止させることができる。
【００２２】
本発明の他の態様に係るコンテンツ配信制御装置は、コンテンツを画面に表示するクライアント装置に対する、サーバ装置からの前記コンテンツの配信を制御するコンテンツ配信制御装置であって、前記コンテンツ配信制御装置の向きを検出する向き検出部と、前記向き検出部により、前記コンテンツ配信制御装置が予め定められた向きを向いていることが検出された場合に、予め定められたコンテンツであって、秘匿性を確保すべきコンテンツである秘匿コンテンツの、前記サーバ装置から前記クライアント装置への配信を停止させる制御部とを備える。
【００２３】
この構成によると、コンテンツ配信制御装置を予め定められた向きに向けることにより、サーバ装置からの秘匿コンテンツの配信を停止させることができる。このため、秘匿性の高いコンテンツの表示を瞬時に停止させることができる。例えば、コンテンツ配信制御装置が、ＤＬＮＡ準拠プロトコルの３Ｂｏｘモデルのデジタルメディアコントローラとして用いられる場合であっても、秘匿性の高いコンテンツの表示を瞬時に停止させることができる。
【００２４】
本発明のさらに他の態様に係るコンテンツ配信システムは、コンテンツを配信するサーバ装置と、前記サーバ装置から配信される前記コンテンツを受信し、受信した前記コンテンツを画面に表示するクライアント装置とを備え、前記サーバ装置は、前記サーバ装置の向きを検出する向き検出部と、前記向き検出部により前記サーバ装置が予め定められた向きを向いていることが検出された場合に、予め定められたコンテンツであって、秘匿性を確保すべきコンテンツである秘匿コンテンツの配信を停止する制御部とを有する。
【００２５】
この構成によると、サーバ装置を予め定められた向きに向けることにより、サーバ装置からの秘匿コンテンツの配信を停止させることができる。このため、秘匿性の高いコンテンツの表示を瞬時に停止させることができる。
【００２６】
例えば、前記クライアント装置は、前記サーバ装置から前記秘匿コンテンツの配信が停止された場合に、前記画面に、前記秘匿コンテンツを含まない所定の画像を表示しても良い。
【００２７】
この構成によると、秘匿コンテンツを視聴していたことを他人から隠すことができる。
【００２８】
具体的には、前記所定の画像は、予め定められたメニュー画像であっても良い。
【００２９】
この構成によると、ユーザは、他人に対して、メニュー画像を見ていたように装うことができる。
【００３０】
また、前記所定の画像は、前記秘匿コンテンツを除いたコンテンツのリストの画像であっても良い。
【００３１】
この構成によると、ユーザは、他人に対して、サーバ装置にそもそも秘匿コンテンツが記憶されていないように装うことができる。
【００３２】
なお、本発明は、このような特徴的な処理部を備えるサーバ装置として実現することができるだけでなく、サーバ装置に含まれる特徴的な処理部が実行する処理をステップとするコンテンツ配信方法として実現することができる。また、サーバ装置に含まれる特徴的な処理部としてコンピュータを機能させるためのプログラムまたはコンテンツ配信方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００３３】
本発明によると、秘匿性の高いコンテンツの表示を瞬時に停止させることができるサーバ装置等を提供することができる。
【図面の簡単な説明】
【００３４】
【図１】実施の形態１に係るコンテンツ配信システムの構成を示す図である。
【図２】スマートフォンの機能的な構成を示すブロック図である。
【図３】プロファイル情報の一例を示す図である。
【図４】テレビの機能的な構成を示すブロック図である。
【図５】スマートフォンが実行する処理のフローチャートである。
【図６】コンテンツリストの一例を示す図である。
【図７】床面にスマートフォンが置かれている状態を示す図である。
【図８】秘匿コンテンツの情報が除かれたコンテンツリストの一例を示す図である。
【図９】図５に示したスマートフォンの処理に呼応して実行されるテレビの処理のフローチャートである。
【図１０】プロファイル情報の作成処理のフローチャートである。
【図１１】プロファイル情報作成時のテレビの表示画面の一例を示す図である。
【図１２】プロファイル情報作成時のテレビの表示画面の一例を示す図である。
【図１３】プロファイル情報作成時のテレビの表示画面の一例を示す図である。
【図１４】スマートフォンの機能的な構成を示すブロック図である。
【図１５】テレビの機能的な構成を示すブロック図である。
【図１６】スマートフォンが実行する処理のフローチャートである。
【図１７】図１６に示したスマートフォンの処理に呼応して実行されるテレビの処理のフローチャートである。
【図１８】ＤＬＮＡ準拠プロトコルの３Ｂｏｘモデルに基づくコンテンツ配信システムの構成の一例を示す図である。
【発明を実施するための形態】
【００３５】
以下、本発明の実施の形態について、図面を用いて詳細に説明する。なお、以下で説明する実施の形態は、いずれも本発明の好ましい一具体例を示すものである。以下の実施の形態で示される数値、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３６】
（実施の形態１）
以下、実施の形態１に係るコンテンツ配信システムについて説明する。実施の形態１に係るコンテンツ配信システムは、ＤＬＮＡ準拠プロトコルに基づいて接続されている。
【００３７】
＜１．構成＞
図１は、実施の形態１に係るコンテンツ配信システムの構成を示す図である。
【００３８】
コンテンツ配信システム１０は、コンテンツを表示するテレビ１００と、コンテンツを配信するサーバ装置として機能するスマートフォン２００とを備える。ユーザ３００は、スマートフォン２００を操作することにより、スマートフォン２００に記憶されているコンテンツをテレビ１００の表示画面に表示させる。テレビ１００及びスマートフォン２００は、ＤＬＮＡ準拠プロトコルの２ＢｏｘモデルにおけるＤＭＰ（Ｄｉｇｉｔａｌ  Ｍｅｄｉａ  Ｐｌａｙｅｒ）及びＤＭＳとしてそれぞれ機能する。つまり、スマートフォン２００が、スマートフォン２００記憶されているコンテンツをネットワーク配信し、テレビ１００がネットワーク配信されたコンテンツを受信し、表示画面に表示する。ユーザ３００は、テレビ１００の表示画面を見ることにより、コンテンツを見ることができる。
【００３９】
図２は、スマートフォン２００の機能的な構成を示すブロック図である。
【００４０】
スマートフォン２００は、制御部２０１と、ＲＯＭ（Ｒｅａｄ  Ｏｎｌｙ  Ｍｅｍｏｒｙ）２０２と、ジャイロセンサ２０３と、内部記憶装置２０４と、外部記憶装置接続部２０５と、ネットワークインタフェース２０６と、ＲＡＭ（Ｒａｎｄｏｍ  Ａｃｃｅｓｓ  Ｍｅｍｏｒｙ）２０７とを備える。
【００４１】
制御部２０１は、スマートフォン２００の各部を制御する。制御部２０１は、例えば、ＣＰＵ（Ｃｅｎｔｒａｌ  Ｐｒｏｃｅｓｓｉｎｇ  Ｕｎｉｔ）などにより構成される。
【００４２】
ＲＯＭ２０２は、スマートフォン２００を起動するためのプログラムなどを記憶している。
【００４３】
ジャイロセンサ２０３は、向き検出部の一例であり、スマートフォン２００の向きを検出するセンサである。
【００４４】
内部記憶装置２０４は、画像データ又は映像データなどのコンテンツを記憶している。内部記憶装置２０４は、例えば、フラッシュメモリなどにより構成される。
【００４５】
外部記憶装置接続部２０５は、外部記憶装置４００とスマートフォン２００とを接続するためのインタフェースである。なお、外部記憶装置４００は、例えば、メモリカードなどにより構成され、コンテンツを記憶している。
【００４６】
ネットワークインタフェース２０６は、外部の機器と無線通信を行うためのインタフェースである。例えば、ネットワークインタフェース２０６は、アクセスポイントを介してテレビ１００と無線通信を行う。
【００４７】
ＲＡＭ２０７は、各種データを一時的に記憶する。ＲＡＭ２０７は、後述するコンテンツリストを記憶する。
【００４８】
制御部２０１は、プログラムを実行したときに機能的に実現される処理部として、配信制御部２１１と、コンテンツプロファイル管理部２１２と、リスト公開処理部２１３と、リスト生成部２１４とを有する。
【００４９】
配信制御部２１１は、コンテンツの配信を制御する。具体的には、配信制御部２１１は、ジャイロセンサ２０３の出力に基づいてスマートフォン２００が予め定められた向きを向いていることを検出した場合に、予め定められたコンテンツであって、秘匿性を確保すべきコンテンツである秘匿コンテンツの配信を停止させる。
【００５０】
コンテンツプロファイル管理部２１２は、内部記憶装置２０４又は外部記憶装置４００に記憶されているコンテンツが秘匿コンテンツであるか否かを示すプロファイル情報を生成し、ＲＡＭ２０７又は内部記憶装置２０４に記憶する。図３は、プロファイル情報の一例を示す図である。プロファイル情報は、コンテンツを識別するためのコンテンツＩＤと、コンテンツが秘匿コンテンツであるか否かを示す秘匿フラグとを含む。秘匿フラグの値が１であれば、コンテンツが秘匿コンテンツであることを示し、秘匿フラグの値が０であれば、コンテンツが秘匿コンテンツではないことを示す。
【００５１】
リスト生成部２１４は、コンテンツの格納場所とコンテンツのメタデータとを含むコンテンツリストを生成する。コンテンツのメタデータとは、コンテンツのタイトル、データサイズ及び解像度などを含む。
【００５２】
リスト公開処理部２１３は、リスト生成部２１４が生成したコンテンツリストを、ネットワークインタフェース２０６を介してテレビ１００に配信する。
【００５３】
図４は、テレビ１００の機能的な構成を示すブロック図である。
【００５４】
テレビ１００は、ネットワークインタフェース１０１と、表示制御部１０２と、表示画面１０３と、リスト制御部１０４と、リスト記憶部１０５と、コンテンツ要求部１０６とを備える。
【００５５】
ネットワークインタフェース１０１は、外部の機器と無線通信を行うためのインタフェースである。例えば、ネットワークインタフェース１０１は、アクセスポイントを介してスマートフォン２００と無線通信を行う。
【００５６】
表示画面１０３は、画像を表示する画面であり、例えば、液晶パネルなどにより構成される。
【００５７】
表示制御部１０２は、コンテンツ及びコンテンツリストの表示画面１０３への表示を制御する。
【００５８】
リスト記憶部１０５は、コンテンツリストを記憶する。リスト記憶部１０５は、例えば、ＲＡＭなどにより構成される。
【００５９】
リスト制御部１０４は、ネットワークインタフェース１０１を介してスマートフォン２００からコンテンツリストを受信し、受信したコンテンツリストをリスト記憶部１０５に記憶する。
【００６０】
コンテンツ要求部１０６は、ネットワークインタフェース１０１を介してスマートフォン２００にコンテンツの送信を要求する。
【００６１】
＜２．処理＞
次に、コンテンツ配信システム１０が実行する処理について具体例を挙げながら説明する。
【００６２】
図５は、スマートフォン２００が実行する処理のフローチャートである。
【００６３】
リスト生成部２１４は、内部記憶装置２０４又は外部記憶装置４００に格納されているコンテンツから、コンテンツのメタデータを解析する（Ｓ１）。つまり、リスト生成部２１４は、各コンテンツのヘッダ情報から、コンテンツのタイトル、データサイズ及び解像度などのメタデータを取得する。
【００６４】
リスト生成部２１４は、解析したメタデータと、コンテンツの格納場所を示すＵＲＬ（Ｕｎｉｆｏｒｍ  Ｒｅｓｏｕｒｃｅ  Ｌｏｃａｔｏｒ）とを含むコンテンツリストを生成する（Ｓ２）。図６は、コンテンツリストの一例を示す図である。コンテンツリストは、コンテンツＩＤと、メタデータと、ＵＲＬと、サムネイル画像とを含む。コンテンツＩＤは、コンテンツの識別子である。サムネイル画像は、コンテンツを代表する画像を縮小した画像の画像データである。コンテンツが映像データの場合には、例えば、先頭フレームの画像を縮小することによりサムネイル画像を生成しても良い。
【００６５】
リスト公開処理部２１３は、生成されたコンテンツリストを、ネットワークを介してテレビ１００に配信する（Ｓ３）。
【００６６】
配信制御部２１１は、テレビ１００からコンテンツの配信要求を受信した場合に、要求されたコンテンツを、ネットワークを介してテレビ１００に配信する（Ｓ４）。配信要求には、コンテンツのＵＲＬが含まれているため、配信制御部２１１は、そのＵＲＬに格納されているコンテンツをテレビ１００に配信する。
【００６７】
配信制御部２１１は、ジャイロセンサ２０３の出力に基づいてスマートフォン２００の表示画面が下向きになっているか否かを判断する（Ｓ５）。図７は、床面５００にスマートフォン２００が置かれている状態を示す図である。（ａ）は、スマートフォン２００の表示画面２１５が上向きになっている状態を示し、（ｂ）は、スマートフォン２００の表示画面２１５が下向きになっている状態を示す。
【００６８】
図７の（ｂ）に示すようにスマートフォン２００の表示画面２１５が下向きになっている場合には（Ｓ５でＹＥＳ）、配信制御部２１１は、プロファイル情報（図３）を参照し、現在配信中のコンテンツが秘匿コンテンツであるか否かを判断する（Ｓ６）。
【００６９】
秘匿コンテンツの配信中の場合には（Ｓ６でＹＥＳ）、配信制御部２１１は、現在配信中の秘匿コンテンツの配信を停止する（Ｓ７）。その際、配信制御部２１１は、秘匿コンテンツの配信停止信号をテレビ１００に対して送信しても良い。
【００７０】
また、リスト生成部２１４は、コンテンツリストの中から秘匿コンテンツの情報を除いたコンテンツリストを生成する（Ｓ８）。例えば、リスト生成部２１４は、図６に示したコンテンツリストから秘匿コンテンツの情報（コンテンツＩＤが１の情報）を除き、図８に示すようなコンテンツリストを生成する。
【００７１】
リスト公開処理部２１３は、コンテンツリストが更新されたことを示すアップデートイベントをテレビ１００に通知する（Ｓ９）。これにより、テレビ１００に新しいコンテンツリストを取得させ、テレビ１００がスマートフォン２００から秘匿コンテンツを取得できないようにする。
【００７２】
なお、スマートフォン２００の表示画面の向きが下向き以外の場合や（Ｓ５でＮＯ）、秘匿コンテンツを配信していない場合には（Ｓ６でＮＯ）、コンテンツの配信が終了するまで（Ｓ１０でＮＯ）、Ｓ５以降の処理が繰り返し実行される。
【００７３】
図９は、図５に示したスマートフォン２００の処理に呼応して実行されるテレビ１００の処理のフローチャートである。
【００７４】
リスト制御部１０４は、スマートフォン２００からコンテンツリストを受信し、受信したコンテンツリストをリスト記憶部１０５に記憶する（Ｓ１１）。
【００７５】
表示制御部１０２は、リスト記憶部１０５に記憶されたコンテンツリストを表示画面１０３に表示する（Ｓ１２）。
【００７６】
表示画面１０３に表示されたコンテンツリストの中から、ユーザによりコンテンツの選択が行われた場合には、コンテンツ要求部１０６は、選択されたコンテンツの送信要求をスマートフォン２００に対して送信する（Ｓ１３）。つまり、コンテンツ要求部１０６は、コンテンツリストの中から選択されたコンテンツのＵＲＬを取得し、取得したＵＲＬとともに送信要求をスマートフォン２００に対して送信する。なお、コンテンツの選択は、例えば、テレビ１００のリモコンにより行われる。
【００７７】
表示制御部１０２は、送信要求に応答してスマートフォン２００が送信したコンテンツを受信する（Ｓ１４）。また、表示制御部１０２は、受信したコンテンツを表示画面１０３に表示する（Ｓ１５）。
【００７８】
コンテンツの表示中に、秘匿コンテンツの配信が停止された場合には（Ｓ１６でＹＥＳ）、表示制御部１０２は、秘匿コンテンツに替えて、テレビ１００のメニュー画像を表示する（Ｓ１７）。なお、表示制御部１０２は、秘匿コンテンツの配信停止信号を受信した場合に秘匿コンテンツの配信が停止されたと判断しても良い。
【００７９】
秘匿コンテンツの配信が停止されていない場合には（Ｓ１６でＮＯ）、コンテンツの受信が終了するまで、Ｓ１６以降の処理を繰り返し実行する（Ｓ１８）。
【００８０】
＜３．利用例＞
次に、コンテンツ配信システム１０の利用例について説明する。
【００８１】
例えば、図１に示すように、ユーザ３００は、自室において、スマートフォン２００に格納されている秘匿コンテンツをテレビ１００の表示画面に表示させながら視聴しているものとする。この秘匿コンテンツは、ユーザ３００以外には見せたくないコンテンツである。
【００８２】
このような状況において、家族が自室に入ってきた場合には、ユーザ３００はテレビ１００に表示されている秘匿コンテンツをとっさに非表示にしたい。このため、ユーザ３００は、スマートフォン２００の向きを、図７の（ａ）のように、表示画面２１５が上向きの状態から、図７の（ｂ）のように、表示画面２１５が下向きの状態に変更する。
【００８３】
これにより、スマートフォン２００からテレビ１００への秘匿コンテンツの配信が停止される。また、テレビ１００の画面にはメニュー画像が表示される。このため、テレビ１００の表示画面に秘匿コンテンツが表示されていたことを、家族に気づかせることなく、秘匿コンテンツの表示を停止させることができる。
【００８４】
なお、その後、スマートフォン２００を図７の（ａ）のように、表示画面２１５が上向きの状態に変更したとしても、スマートフォン２００は、秘匿コンテンツの配信の停止を維持し続けることとする。これにより、秘匿コンテンツが再配信されるのを防ぐことができる。
【００８５】
＜４．プロファイル情報の作成処理＞
次に、図３に示したプロファイル情報の作成処理について説明する。
【００８６】
図１０は、プロファイル情報の作成処理のフローチャートである。プロファイル情報の作成処理は、コンテンツの配信処理の前処理として事前に行われる。
【００８７】
スマートフォン２００の配信制御部２１１は、内部記憶装置２０４又は外部記憶装置４００に記憶されているコンテンツのサムネイルを、テレビ１００に配信する（Ｓ２１）。
【００８８】
テレビ１００の表示制御部１０２は、スマートフォン２００からサムネイルを受信し、受信したサムネイルを表示画面１０３に表示する（Ｓ２２）。例えば、図１１に示すように、テレビ１００の表示画面に６つのサムネイル（サムネイルＡ〜Ｆ）が表示されたものとする。なお、スマートフォン２００の表示画面２１５にも同じサムネイルが表示されているものとする。
【００８９】
このうち、ユーザが、スマートフォン２００を操作して、いずれかのサムネイルを選択した場合（Ｓ２３でＹＥＳ）、配信制御部２１１は、選択されたサムネイルの情報をテレビ１００に送信する。テレビ１００の表示制御部１０２は、送信された情報に基づいて、ユーザが選択したサムネイルを非表示にする（Ｓ２４）。例えば、図１２に示すように、ユーザが、スマートフォン２００の表示画面２１５に表示されているコンテンツＡをタッチすることにより、コンテンツＡを選択したものとする。ここで、選択したコンテンツＡを太枠で示している。すると、表示制御部１０２は、図１３に示すように、選択したコンテンツＡを非表示にする。
【００９０】
また、スマートフォン２００のコンテンツプロファイル管理部２１２は、ユーザが選択したサムネイルに対応するコンテンツを秘匿コンテンツとして、プロファイル情報（図３）に設定する（Ｓ２５）。つまり、コンテンツプロファイル管理部２１２は、そのコンテンツの秘匿フラグを１に設定する。
【００９１】
制御部２０１は、ジャイロセンサ２０３の出力に基づいてスマートフォン２００の表示画面２１５が下向きになっているか否かを判断する（Ｓ２６）。表示画面２１５が下向きになっていれば（Ｓ２６でＹＥＳ）、プロファイル情報の作成処理が完了したと判断し、処理を終了する。表示画面２１５が、下向きになっていなければ（Ｓ２６でＮＯ）、Ｓ２３以降の処理が繰り返し実行される。
【００９２】
＜５．効果＞
以上説明したように、実施の形態１に係るコンテンツ配信システム１０によると、スマートフォン２００の表示画面を下向きにすることにより、スマートフォン２００からの秘匿コンテンツの配信を停止させることができる。このため、テレビ１００による秘匿性の高いコンテンツの表示を瞬時に停止させることができる。
【００９３】
また、スマートフォン２００の表示画面を下向きにすることにより、コンテンツリストから秘匿コンテンツの情報を除くことができる。特に、秘匿コンテンツの格納場所の情報（ＵＲＬ）を除くことができる。このため、テレビ１００は、秘匿コンテンツへのアクセスをすることができなくなり、これにより、テレビ１００における秘匿性の高いコンテンツの表示を瞬時に停止させることができる。
【００９４】
また、ユーザは、スマートフォン２００の表示画面２１５を下向きにする、つまり、表示画面２１５を隠すという動作を行うことにより、秘匿コンテンツの配信を停止させることができる。表示画面２１５を隠すという行為は、人間の直感として見えているものを覆い隠すという行為と直感的に結びついている。このため、スマートフォン２００のユーザビリティを向上させることができる。
【００９５】
（実施の形態２）
実施の形態２に係るコンテンツ配信システムについて説明する。実施の形態１では、テレビ１００とスマートフォン２００とがＤＬＮＡ準拠プロトコルに基づいて接続されているものとしたが、実施の形態２では、Ｍｉｒａｃａｓｔに基づいて、Ｗｉ−Ｆｉ  Ｄｉｒｅｃｔ（登録商標）を介して、接続されるものとする。Ｍｉｒａｃａｓｔでは、スマートフォンに表示されている映像が、テレビの画面にミラーリングされて表示される。以下では、実施の形態１と同様の構成については、同一の参照符号を付し、その説明は繰り返さない。
【００９６】
コンテンツ配信システムの構成は、図１に示したものと同様である。実施の形態２では、図１に示すスマートフォン２００の代わりに後述するスマートフォン２００Ａが用いられ、テレビ１００の代わりに後述するテレビ１００Ａが用いられる。
【００９７】
図１４は、スマートフォン２００Ａの機能的な構成を示すブロック図である。
【００９８】
スマートフォン２００Ａは、図２に示したスマートフォン２００における制御部２０１の代わりに制御部２０１Ａを備える点が異なる。制御部２０１は、４つの処理部を有していたのに対し、制御部２０１Ａは、１つの処理部（配信制御部２１１Ａ）を有する点が異なる。
【００９９】
配信制御部２１１は、実施の形態１の配信制御部２１１と同様に、コンテンツの配信を制御する。ただし、配信制御部２１１Ａは、Ｗｉ−Ｆｉ  Ｄｉｒｅｃｔ（登録商標）を介してコンテンツを配信する点が、配信制御部２１１とは異なる。
【０１００】
図１５は、テレビ１００Ａの機能的な構成を示すブロック図である。
【０１０１】
テレビ１００Ａは、ネットワークインタフェース１０１と、表示制御部１０２と、表示画面１０３とを備える。
【０１０２】
図１６は、スマートフォン２００Ａが実行する処理のフローチャートである。
【０１０３】
配信制御部２１１Ａは、スマートフォン２００で表示中のコンテンツをＷｉ−Ｆｉ  Ｄｉｒｅｃｔ（登録商標）を介してテレビ１００に配信する（Ｓ４Ａ）。
【０１０４】
その後、Ｓ５〜Ｓ７及びＳ１０の処理を実行する。これらの処理は、実施の形態１の図５に示した処理と同様である。つまり、配信制御部２１１Ａは、スマートフォン２００Ａの表示画面が下向きであり（Ｓ５でＹＥＳ）、かつ秘匿コンテンツを配信中の場合に（Ｓ６でＹＥＳ）、秘匿コンテンツの配信を停止する（Ｓ７）。なお、Ｍｉｒａｃａｓｔに基づいてコンテンツが配信されているため、配信制御部２１１Ａがスマートフォン２００Ａの画面への秘匿コンテンツの表示を中止することによって、秘匿コンテンツの配信が停止される。
【０１０５】
Ｓ５以降の処理が、コンテンツの配信終了まで実行される（Ｓ１０）。
【０１０６】
図１７は、図１６に示したスマートフォン２００Ａの処理に呼応して実行されるテレビ１００Ａの処理のフローチャートである。
【０１０７】
テレビ１００Ａは、図９に示したＳ１４〜Ｓ１８の処理を実行する。
【０１０８】
つまり、リスト制御部１０４は、スマートフォン２００Ａが送信したコンテンツを受信し（Ｓ１４）、表示制御部１０２は、受信したコンテンツを表示画面１０３に表示する（Ｓ１５）。
【０１０９】
コンテンツの表示中に、秘匿コンテンツの配信が停止された場合には（Ｓ１６でＹＥＳ）、表示制御部１０２は、秘匿コンテンツに替えて、テレビ１００Ａのメニュー画像を表示する（Ｓ１７）。
【０１１０】
秘匿コンテンツの配信が停止されていない場合には（Ｓ１６でＮＯ）、コンテンツの受信が終了するまで、Ｓ１６以降の処理が繰り返し実行される（Ｓ１８）。
【０１１１】
以上説明したように、実施の形態２によると、Ｍｉｒａｃａｓｔに基づいて、コンテンツが配信される場合であっても、実施の形態１と同様に、秘匿性の高いコンテンツの表示を瞬時に停止させることができる。
【０１１２】
（その他の実施の形態）
以上、本発明の実施の形態に係るコンテンツ配信システム装置について説明したが、本発明は、この実施の形態に限定されるものではない。
【０１１３】
例えば、実施の形態１及び２では、スマートフォンの表示画面が下向きの場合に、秘匿コンテンツの配信を停止させることとしたが、スマートフォンの向きはこれに限定されるものではない。たとえば、スマートフォンが横向きの場合に秘匿コンテンツの配信を停止させるようにしてもよい。
【０１１４】
また、コンテンツ配信に用いられる規格は、ＤＬＮＡ準拠プロトコル又はＭｉｒａｃａｓｔに限定されるものではない。たとえば、ＡｉｒＰｌａｙ（登録商標）などにより接続されていてもよい。
【０１１５】
また、コンテンツを配信するサーバ装置は、スマートフォンに限定されるものではなく、タブレット端末など、ユーザがとっさに向きを変えることのできる機器であれば、サーバ装置として用いることができる。また、ユーザがとっさに向きを変えることのできない機器であっても、サーバ装置して利用可能である。この場合には、サーバ装置のリモコンの向きを変えることにより、秘匿コンテンツの配信を制御してもよい。たとえば、サーバ装置がセットトップボックスであり、ユーザがセットトップボックスのリモコンの向きを変えることにより、セットトップボックスが秘匿コンテンツの配信を制御してもよい。
【０１１６】
また、実施の形態１及び２では、秘匿コンテンツの配信が停止された後は、テレビはメニュー画像を表示することとしたが、秘匿コンテンツに関連しない画像であれば、それ以外の画像を表示してもよい。たとえば、テレビは、アップデート後のコンテンツリスト、つまり、秘匿コンテンツの情報が除かれたコンテンツリストを表示画面に表示するようにしてもよい。
【０１１７】
また、実施の形態１では、ＤＬＮＡ準拠プロトコルの２Ｂｏｘモデルに基づいて、スマートフォンとテレビとが接続されていたが、ＤＬＮＡ準拠プロトコルの３Ｂｏｘモデルに基づいて、これらが接続されていてもよい。図１８は、ＤＬＮＡ準拠プロトコルの３Ｂｏｘモデルに基づくコンテンツ配信システムの構成の一例を示す図である。コンテンツ配信システム１０Ｂは、テレビ１００と、スマートフォン２００と、ネットワークアクセスサーバ６００とを備える。これらはアクセスポイントを介して相互に接続されている。テレビ１００はＤＭＲ（Ｄｉｇｉｔａｌ  Ｍｅｄｉａ  Ｒｅｎｄｅｒｅｒ）として機能し、スマートフォン２００（コンテンツ配信制御装置を構成する）はＤＭＣ（Ｄｉｇｉｔａｌ  Ｍｅｄｉａ  Ｃｏｎｔｒｏｌｌｅｒ）として機能し、ネットワークアクセスサーバ６００はＤＭＳとして機能する。つまり、ネットワークアクセスサーバ６００に記憶されているコンテンツが、テレビ１００に配信される。スマートフォン２００の表示画面を下向きにすることにより、スマートフォン２００又はテレビ１００からネットワークアクセスサーバ６００に秘匿コンテンツの配信停止信号が送信され、ネットワークアクセスサーバ６００が秘匿コンテンツの配信を停止させる。
【０１１８】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１１９】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１２０】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１２１】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１２２】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１２３】
また、本発明は、上記コンピュータプログラムまたは上記デジタル信号を、電気通信回線、無線または有線通信回線、インターネットを代表とするネットワーク、データ放送等を経由して伝送するものとしても良い。
【０１２４】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１２５】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１２６】
さらに、上記実施の形態及び上記変形例をそれぞれ組み合わせるとしても良い。
【産業上の利用可能性】
【０１２７】
本発明は、サーバ装置からクライアント装置にコンテンツを配信し、クライアント装置でコンテンツを表示するコンテンツ配信システムなどに適用できる。
【符号の説明】
【０１２８】
１０、１０Ｂ  コンテンツ配信システム
１００、１００Ａ  テレビ
１０１、２０６  ネットワークインタフェース
１０２  表示制御部
１０３  表示画面
１０４  リスト制御部
１０５  リスト記憶部
１０６  コンテンツ要求部
２００、２００Ａ  スマートフォン
２０１、２０１Ａ  制御部
２０２  ＲＯＭ
２０３  ジャイロセンサ
２０４  内部記憶装置
２０５  外部記憶装置接続部
２０７  ＲＡＭ
２１１、２１１Ａ  配信制御部
２１２  コンテンツプロファイル管理部
２１３  リスト公開処理部
２１４  リスト生成部
２１５  表示画面
３００  ユーザ
４００  外部記憶装置
５００  床面
６００  ネットワークアクセスサーバ
【図１】
2015001971.tif 000003
【図２】
2015001971.tif 000004
【図３】
2015001971.tif 000005
【図４】
2015001971.tif 000006
【図５】
2015001971.tif 000007
【図６】
2015001971.tif 000008
【図７】
2015001971.tif 000009
【図８】
2015001971.tif 000010
【図９】
2015001971.tif 000011
【図１０】
2015001971.tif 000012
【図１１】
2015001971.tif 000013
【図１２】
2015001971.tif 000014
【図１３】
2015001971.tif 000015
【図１４】
2015001971.tif 000016
【図１５】
2015001971.tif 000017
【図１６】
2015001971.tif 000018
【図１７】
2015001971.tif 000019
【図１８】
2015001971.tif 000020